(57)【要約】【課題】  複数のページからなる原稿に対し、範囲を特定するためのマーキングなどを、別途、事前に施すことなく、加筆・修正の有無に応じて、ページ毎に、出力される画像データのデータサイズを変更することが可能な画像処理装置を提供する。【解決手段】  画像処理装置１は、原稿をページ毎に読み取り、画像データを生成する読取部１３と、生成された画像データについて、ページ毎に、該ページに含まれる有彩色の画素を抽出する有彩色画素抽出部１４と、抽出された有彩色の画素の数に基づいて、ページ毎に、加筆・修正の有無を判定する加筆・修正判定部１６と、加筆・修正が無いと判定された場合に、該ページの画像データの解像度を低下させる画素数変更部１７とを備える。なお、画素数変更部１７は、加筆・修正が有る場合には、該ページの画像データの解像度を変更しない。【選択図】  図１
2011239014.tif 000002
【特許請求の範囲】
【請求項１】
原稿をページ毎に読み取り、画像データを生成する読取手段と、
前記読取手段により生成された画像データについて、ページ毎に加筆・修正の有無を判定する判定手段と、
前記判定手段により、ページに加筆・修正が無いと判定された場合に、該ページの画像データの画素数を低減する変更手段と、を備えることを特徴とする画像処理装置。
【請求項２】
前記解像度変更手段は、ページに加筆・修正が有ると判定された場合には、該ページの画像データの画素数を低減しないことを特徴とする請求項１に記載の画像処理装置。
【請求項３】
前記変更手段は、前記画像データの画素数を低減する際に、該画像データの解像度の低下、及び／又は、画像サイズの縮小を行うことを特徴とする請求項１又は２に記載の画像処理装置。
【請求項４】
前記読取手段により生成された画像データについて、ページ毎に、該ページに含まれる有彩色の画素を抽出する抽出手段を備え、
前記判定手段は、前記抽出手段により抽出された有彩色の画素が所定値以上含まれている場合に、当該ページを加筆・修正されたページであると判定することを特徴とする請求項１〜３のいずれか１項に記載の画像処理装置。
【請求項５】
前記判定手段は、予め設定されている色の画素が所定値以上含まれている場合に、当該ページを加筆・修正されたページであると判定することを特徴とする請求項４に記載の画像処理装置。
【発明の詳細な説明】
【技術分野】
【０００１】
本発明は、画像処理装置に関する。
【背景技術】
【０００２】
従来から、マーカーでマーキングされた領域の文書に対して特殊処理を施すマーカー編集機能を有する画像処理装置が知られている。例えば、特許文献１には、マーカーで範囲を指定することにより、範囲別に画像の解像度を変えることができる画像処理装置が開示されている。
【０００３】
この画像処理装置は、まず、原稿を読み取り画像データを生成し、生成した画像データの２値化処理を行う。次に、画像処理装置は、２値化した画像データの濃度または輝度データから原稿中のマーカーの特定色部分を判定し、該特定色部分の画素数をカウントする。そして、カウント値が設定値以上の場合には、当該ライン又は次のラインの主走査方向／副走査方向の解像度を低減する。その結果、この画像処理装置では、マーカーが引かれたラインは低解像度の画像が出力され、それ以外の部分は高解像度の画像が出力される。この画像処理装置によれば、例えば、写真部や高解像度の必要性がない部分を低解像度画像とするように解像度を変えることができる。
【先行技術文献】
【特許文献】
【０００４】
【特許文献１】特開平８−１３９９０３号公報
【発明の概要】
【発明が解決しようとする課題】
【０００５】
上述した特許文献１記載の画像処理装置では、出力される画像データの解像度を変えるためには、解像度を変えたい原稿上の箇所にマーキングを施す必要がある。ここで、例えば、出力される画像データのファイルサイズとの関係から、複数ページからなる原稿から生成される画像データについて、ページ単位で画像データの解像度（データサイズ）を変えたい場合がある。より具体的には、例えば、加筆・修正があるページは必要性が高いため高解像度にし、加筆・修正が無いページは必要性が低いため低解像度にしてデータサイズを低減したい場合がある。しかしながら、特許文献１記載の画像処理装置では、例えば、加筆・修正がされていないページ全体の解像度を下げたい場合、ページ全体にマーキングを施す必要がある。そのため、事前のマーキング作業などに手間がかかり、使い勝手があまりよくなかった。特に、原稿が複数ページからなる場合には顕著であった。
【０００６】
本発明は、上記問題点を解消する為になされたものであり、原稿に対し、範囲を特定するためのマーキングなどを、別途、事前に施すことなく、加筆・修正の有無に応じて、ページ毎に、出力される画像データのデータサイズを変更することが可能な画像処理装置を提供することを目的とする。
【課題を解決するための手段】
【０００７】
本発明に係る画像処理装置は、原稿をページ毎に読み取り、画像データを生成する読取手段と、読取手段により生成された画像データについて、ページ毎に加筆・修正の有無を判定する判定手段と、判定手段により、ページに加筆・修正が無いと判定された場合に、該ページの画像データの画素数を低減する変更手段とを備えることを特徴とする。
【０００８】
本発明に係る画像処理装置によれば、読込まれた原稿のページ毎に加筆・修正が有るか否かが判定され、加筆・修正が無いページの画像データの画素数（ピクセル数）が低減される。すなわち、必要性が低い無加筆・無修正ページの画像データのデータサイズが小さくされる。その結果、範囲を特定するためのマーキングなどを、別途、事前に施すことなく、加筆・修正の有無に応じて、ページ毎に、出力される画像データのデータサイズを変更することが可能となる。なお、本明細書中において、「加筆・修正」という文言には、例えば、マーキング、及び、「○」の中に「秘」や「重要」等の文字が入ったマークなども含むこととする。
【０００９】
本発明に係る画像処理装置では、ページに加筆・修正が有ると判定された場合には、変更手段が、該ページの画像データの画素数を低減しないことが好ましい。この場合、必要性が高い加筆・修正ページの画素数は低減されない。よって、画像データを表示又は印刷することにより、原稿に記入された加筆・修正内容を的確に認識することが可能となる。
【００１０】
本発明に係る画像処理装置では、変更手段が、画像データの画素数を低減する際に、該画像データの解像度の低下、及び／又は、画像サイズの縮小を行うことが好ましい。このようにすれば、画像データの解像度（ｄｐｉ）を低下、及び／又は画像サイズ（ｉｎｃｈ２）を縮小することにより、画像データの画素数を低減することができる。よって、画像データのデータサイズを低減させることが可能となる。
【００１１】
本発明に係る画像処理装置は、読取手段により生成された画像データについて、ページ毎に、該ページに含まれる有彩色の画素を抽出する抽出手段を備え、判定手段が、抽出手段により抽出された有彩色の画素が所定値以上含まれている場合に、当該ページを加筆・修正されたページであると判定することが好ましい。このようにすれば、例えば、赤色や青色などの有彩色のペン又はマーカーで原稿に加筆・修正されているときに、適切に加筆・修正ページであるか否かを判定することが可能となる。
【００１２】
また、本発明に係る画像処理装置では、判定手段が、予め設定されている色の画素が所定値以上含まれている場合に、当該ページを修正されたページであると判定することが好ましい。このようにすれば、例えば、元の原稿に有彩色の文字・図形が含まれている場合であっても、加筆・修正する際に使用するペン又はマーカーの色として、元の原稿に記載されている文字・図形の色と異なる色を予め指定しておくことにより、正確に、加筆・修正ページであるか否を判定することが可能となる。
【発明の効果】
【００１３】
本発明によれば、原稿に対し、範囲を特定するためのマーキングなどを、別途、事前に施すことなく、加筆・修正の有無に応じて、ページ毎に、出力される画像データのデータサイズを変更することが可能となる。
【図面の簡単な説明】
【００１４】
【図１】実施形態に係る画像処理装置の構成を示すブロック図である。
【図２】実施形態に係る画像処理装置による加筆・修正原稿読取処理の処理手順を示すフローチャートである。
【発明を実施するための形態】
【００１５】
以下、図面を参照して本発明の好適な実施形態について詳細に説明する。まず、図１を用いて、第１実施形態に係る画像処理装置１の構成について説明する。図１は、画像処理装置１の構成を示すブロック図である。
【００１６】
画像処理装置１は、例えば、複数のページからなる原稿を読み取って画像データを生成し、ページ毎にカラーペン又はカラーマーカー等の加筆・修正の有無を判定するとともに、加筆・修正されていないページの画像データの解像度を低下させる機能を有している。これらの機能を実現するために画像処理装置１は、制御部１０、操作部１１、表示部１２、読取部１３、及び記憶部１８等を備えている。なお、各部はバス（通信路）２０で相互に通信可能に接続されている。続いて、各構成要素について詳細に説明する。
【００１７】
制御部１０は、演算を行うマイクロプロセッサ、マイクロプロセッサに各処理を実行させるためのプログラム等を記憶するＲＯＭ、演算結果などの各種データを一時的に記憶するＲＡＭ、及びデータがバックアップされているバックアップＲＡＭ等により構成されている。制御部１０は、ＲＯＭに記憶されているプログラムを実行することにより、画像処理装置１を構成する各部の機能を実現するとともに、画像処理装置１を構成するハードウェアを統合的に制御する。また、制御部１０には、上述したハードウェアとソフトウェアの組み合わせにより、後述する有彩色画素抽出部１４、色判別部１５、加筆・修正判定部１６、及び画素数変更部１７が構築されている。
【００１８】
操作部１１は、画像処理装置１の各機能を利用するために用いられる複数のキー、例えば、テンキー、短縮キー、スタートキー、ストップキー、及び各種のファンクションキー等を備えている。操作部１１は、例えば、複数のページからなる原稿を読み取って、ページ毎に加筆・修正の有無を判定し、加筆・修正されていないページの解像度を低下させた画像データファイルを出力する操作をユーザから受け付ける。
【００１９】
表示部１２は、ＬＣＤ等を用いた表示装置であり、画像処理装置１の動作状態及び／又は各種設定内容等を表示する。また、表示部１２は、読取部１３により読み取られ、加筆・修正の有無によりページ毎に解像度が変更された画像データを表示する。
【００２０】
読取部１３は、ＡＤＦ（Ａｕｔｏ  Ｄｏｃｕｍｅｎｔ  Ｆｅｅｄｅｒ）を有しており、例えば、複数のページからなる原稿をページ毎に読み取り、画像データを生成する。より詳細には、読取部１３は、光源、及び、赤（Ｒ）、緑（Ｇ）、青（Ｂ）のカラーフィルタが貼り付けられた単板ＣＣＤ等を有しており、例えば、カラーペンやカラーマーカーで加筆・修正された原稿を、設定された走査線密度に応じてライン毎に読み取り、ＲＧＢ各色の画像データを生成する。すなわち、読取部１３は、特許請求の範囲に記載の読取手段として機能する。なお、カラーフィルタが貼り付けられた単板ＣＣＤに代えて、レンズからの光を分光プリズム内のダイクロック膜の反射によってＲＧＢの３原色に分光し、それぞれの分光を３つのＣＣＤによって光電変換する構成（３ＣＣＤ方式）を用いてもよい。読取部１３で生成された原稿の画像データは、有彩色画素抽出部１４に出力される。
【００２１】
有彩色画素抽出部１４は、読取部１３により生成された画像データについて、ページ毎に、該ページに含まれる有彩色の画素を抽出する。すなわち、有彩色画素抽出部１４は、特許請求の範囲に記載の抽出手段として機能する。より詳細には、有彩色画素抽出部１４は、まず、読取部１３によって生成された赤（Ｒ）緑（Ｇ）青（Ｂ）の画像データを、該画像データの画素（ピクセル）毎に、ＨＬＳ色空間に変換する。なお、ＲＧＢ信号からＨＬＳ色空間への変換には、公知の手法を用いることができる。ＨＬＳ色空間は、色相（Ｈｕｅ）、彩度（Ｓａｔｕｒａｔｉｏｎ）、輝度（Ｌｉｇｈｔｎｅｓｓ／Ｌｕｍｉｎａｎｃｅ）の３つの成分からなる色空間である。ここで、彩度（Ｓ）は、ゼロが無彩色であり、ゼロに近いほどグレースケールに近いことを示す。よって、有彩色画素抽出部１４は、画素の彩度（Ｓ）に基づいて、該画素が、有彩色（カラー）かグレースケールかを判別する。また、有彩色画素抽出部１４は、抽出された有彩色の画素の数をカウントする。
【００２２】
色判別部１５は、有彩色画素抽出部１４により抽出された有彩色の画素の色を判別する。より具体的には、色判別部１５は、各画素のＨＬＳ色空間中の位置に基づいて、画素毎に当該画素の色（すなわちカラーペンなどの色）を判別する。また、色判別部１５は、判別された画素の数を色毎にカウントする。
【００２３】
加筆・修正判定部１６は、読取部１３により生成された画像データについて、ページ毎に加筆・修正の有無を判定する。換言すると、加筆・修正判定部１６は、該ページが、加筆・修正された加筆・修正ページか、加筆・修正されていない無加筆・無修正ページかを判定する。すなわち、加筆・修正判定部１６は、特許請求の範囲に記載の判定手段として機能する。
【００２４】
より詳細には、加筆・修正判定部１６は、有彩色画素抽出部１４により抽出された有彩色の画素が所定値以上含まれている場合、すなわち有彩色画素抽出部１４によりカウントされた有彩色の画素数が所定値以上である場合に、当該ページを加筆・修正ページであると判定する。なお、上記所定値は、加筆・修正の誤判定を防止することができる数を考慮して設定することが好ましい。
【００２５】
なお、加筆・修正判定部１６は、予め設定されている特定の色（例えば、赤や青など）の画素が所定値以上含まれている場合、すなわち色判別部１５によりカウントされた特定色の画素数が所定値以上である場合に、当該ページを加筆・修正ページであると判定してもよい。加筆・修正判定部１６による判定結果は、画素数変更部１７に出力される。
【００２６】
画素数変更部１７は、加筆・修正判定部１６により加筆・修正が無い（すなわち無加筆・無修正ページである）と判定された場合に、該ページの画像データの画素数を低減し、画像データのデータサイズを低減する。一方、画素数変更部１７は、加筆・修正判定部１６により加筆・修正が有る（すなわち加筆・修正ページである）と判定された場合には、該ページの画像データの画素数を低減しない。すなわち、画素数変更部１７は、特許請求の範囲に記載の変更手段として機能する。
【００２７】
より具体的には、画素数変更部１７は、画像データの画素数を低減する際に、該画像データの解像度を低下させる。なお、画素数を低減する手法としては、画像データの解像度（ｄｐｉ）の低下に代えて、又は加えて、画像サイズ（ｉｎｃｈ２）の縮小を行ってもよい。画素数変更部１７により解像度が変更された各ページの画像データは、１つのデータファイルにまとめられて、例えば、表示部１２又は記憶部１８に出力される。
【００２８】
記憶部１８は、画素数変更部１７から出力された画像データを記憶する。なお、記憶部１８としては、例えば、ＣＦ（コンパクトフラッシュ（登録商標））又はＨＤ（ハードディスク）などが好適に用いられる。
【００２９】
次に、図２を参照しつつ、画像処理装置１の動作について説明する。図２は、画像処理装置１による加筆・修正原稿読取処理の処理手順を示すフローチャートである。
【００３０】
ステップＳ１００では、複数のページからなり、加筆・修正されたページを含む原稿が読み取られ、ＲＧＢ各色の画像データが生成される。続いて、ステップＳ１０２では、ステップＳ１００で生成された画像データに含まれる有彩色画素の抽出が行われる。また、ステップＳ１０２において有彩色画素の抽出が行われる際に、抽出された有彩色画素の数がカウントされる。なお、有彩色画素の抽出方法は、上述した通りであるので、ここでは詳細な説明は省略する。
【００３１】
次に、ステップＳ１０４では、ステップＳ１０２において抽出された有彩色の画素の色が判別される。また、ステップＳ１０４では、判別された色毎に画素の数がカウントされる。なお、画素の色の判別方法は、上述した通りであるので、ここでは詳細な説明は省略する。
【００３２】
続くステップＳ１０６では、ステップＳ１０２で抽出された有彩色の画素の数（又は、ステップＳ１０４で判別された特定色の画素の数）が所定値以上であるであるか否かについての判断が行われる。ここで、有彩色の画素（又は特定色の画素）の数が所定値以上である場合には、加筆・修正ページであると判定され、画像データの解像度が変更されることなく、ステップＳ１１０に処理が移行する。
【００３３】
一方、有彩色の画素（又は特定色の画素）の数が所定値未満であるときには、無加筆・無修正ページであると判定され、ステップＳ１０８に処理が移行する。ステップＳ１０８では、画像データの解像度が低下され、画像データのデータサイズが低減される。なお、ここでは、解像度の低下に代えて、又は加えて画像サイズの縮小を行ってもよい。
【００３４】
続くステップＳ１１０では、１ページ分の画像データが一時的に保存される。次に、ステップＳ１１２では、原稿のすべてのページについて、加筆・修正ページ判定、及び解像度変更処理が行われたか否かについての判断が行われる。ここで、まだ、すべてのページについて処理が終了していない場合には、ステップＳ１０２に処理が移行し、次のページの画像データについて、上述したステップＳ１０２以降の処理が繰り返し実行される。一方、すべてのページについて処理が終了した場合には、ステップＳ１１４において、全ページの画像データが１つのファイルにまとめられて、表示部１２又は記憶部１８に出力される。その後、本処理が終了する。
【００３５】
本実施形態によれば、読込まれた原稿のページ毎に加筆・修正が有るか否かが判定され、加筆・修正が無いページの画像データの画素数が低減される。すなわち、必要性が低い無加筆・無修正ページの画像データのデータサイズが小さくされる。その結果、複数のページからなる原稿に対し、範囲を特定するためのマーキングなどを、別途、事前に施すことなく、加筆・修正の有無に応じて、ページ毎に、出力される画像データのデータサイズを低減することが可能となる。これにより、原稿全体の読み取り画像データのファイルサイズを縮小することができる。
【００３６】
本実施形態によれば、加筆・修正が有ると判定された場合には、該ページの画像データの画素数は低減されない。すなわち、必要性が高い加筆・修正ページの画素数は低減されない。よって、画像データを表示又は印刷することにより、原稿に記入された加筆・修正内容を的確に認識することが可能となる。
【００３７】
ここで、本実施形態によれば、画像データの解像度（ｄｐｉ）の低下、及び／又は画像サイズ（ｉｎｃｈ２）の縮小により、無加筆・無修正ページの画像データの画素数が低減される。よって、画像データのデータサイズを低減させることが可能となる。
【００３８】
本実施形態によれば、抽出された有彩色の画素が所定値以上含まれている場合に、該ページが加筆・修正されたページであると判定される。そのため、例えば、赤色や青色などのカラーペン又はカラーマーカーで原稿に加筆・修正されているときに、適切に加筆・修正ページであるか否かを判定することが可能となる。
【００３９】
ここで、予め設定されている色の画素が所定値以上含まれている場合に、当該ページを修正されたページであると判定するようにすれば、例えば、元の原稿に有彩色の文字・図形が含まれている場合であっても、加筆・修正する際に使用するカラーペン又はカラーマーカーの色として、元の原稿に記載されている文字・図形の色と異なる色を予め指定しておくことにより、正確に、加筆・修正ページであるか否を判定することが可能となる。
【００４０】
以上、本発明の実施の形態について説明したが、本発明は、上記実施形態に限定されるものではなく種々の変形が可能である。例えば、上記実施形態では、有彩色の画素数に基づいて、加筆・修正があるか否かを判定したが、有彩色又はグレースケールの手書きの文字が含まれているか否かを判定し、手書きの文字が含まれていると判定された場合に、加筆・修正ページであると判定してもよい。
【００４１】
また、上記実施形態では、ＨＬＳ色空間を利用して、画素が有彩色であるか否か、また、有彩色である場合には、その色を判別したが、ＨＬＳ色空間に代えて、他の色空間、例えばＨＳＶ色空間、ＨＳＢ色空間などを利用してもよい。
【００４２】
また、上記実施形態では、画像処理装置１は単一の筺体に収められていたが、例えば、画像処理装置は、読取部１３を有するスキャナと、該スキャナと通信可能に接続され、有彩色画素抽出部１４、色判別部１５、加筆・修正判定部１６、画素数変更部１７などが構築されたパーソナルコンピュータとから構成されていてもよい。
【００４３】
上記実施形態では、解像度の低下、及び／又は画像サイズの縮小により、無加筆・無修正ページの画像データのデータサイズを低減したが、例えば、無加筆・無修正ページをページ合成（例えば２ｉｎ１、４ｉｎ１など）する構成としてもよい。また、無加筆・無修正ページをサムネイル画像としてもよい。
【００４４】
また、上記実施形態に加えて、画像データ（ＰＤＦファイル）に対して、加筆・修正ページと無加筆・無修正ページとを区別するページ属性データを付加するようにしてもよい。
【符号の説明】
【００４５】
１  画像処理装置
１０  制御部
１１  操作部
１２  表示部
１３  読取部
１４  有彩色画素抽出部
１５  色判別部
１６  加筆・修正判定部
１７  画素数変更部
１８  記憶部
２０  バス
【図１】
2011239014.tif 000003
【図２】
2011239014.tif 000004